(57)【要約】【課題】  手に持ったままイカ角仕掛の回収、保持、投入等のすべての操作が行え、しかも糸絡みせず、素早く投入出来る、コンパクトなイカ角投入器の提供である。【解決手段】  複数のイカ角を一列に並べて収納出来るケースの幅広正面に、案内板を重ね、案内板の下に、イカ角間の幹糸を保持するための隙間を設け、案内板の一方の端に幹糸の導入部を形成し、案内板の他端をケースの側面又は側面近くに固定した構成である。【選択図】  図３
2005143486.tif 000002
【特許請求の範囲】
【請求項１】
ケースの中に、イカ角を収納するための複数の筒部材を、その挿入口がケースの上面に一列に並ぶように納め、ケースの幅広面に、左右方向に延びた案内板を適宜の隙間を設けて重ね、案内板の一方の端に、イカ角間の幹糸を隙間に引き込み又は放出するための導入部を形成し、案内板の他端にある固定部をケースの側面或は側面近くに固定したことを特徴とするイカ角投入器。
【請求項２】
案内板を略直角三角形に形成し、その斜面を下方に配置したことを特徴とする請求項１のイカ角投入器。
【請求項３】
固定部寄りの隙間に、左右に長い幹糸の狭持手段を設けたことを特徴とする請求項１のイカ角投入器。
【請求項４】
ケースの裏の幅広面に指掛部を形成し、固定部側の側面の下端に尻手ロープの取付部を形成したことを特徴とする請求項１のイカ角投入器。
【発明の詳細な説明】
【技術分野】
【０００１】  この発明はイカ釣り用、イカ角仕掛の投入器に関する。【０００２】  釣人の間に多用されているイカ釣用仕掛は、両端に連結具を結んだ幹糸に、複数のイカ角をハリスを介して１米及至１．２米の間隔で結んだ仕掛である。この仕掛を使用するためには一方の連結具にリールの道糸を結び、他方の連結具に錘りを取付け、錘りから順次海中に投入する。この仕掛は絡みやすく、絡みを解くのに時間がかかるので、仕掛は慎重に投入しなければならない。ところが多数の釣人が乗る乗合舟では、仕掛の投入の早さが釣果を大きく左右するので、仕掛を絡まずに素早く投入できる投入器が要望され、幾つかが発明されている。例えば、特開２００３−２３４０や、特開平９−３２２６８１や、実開平７−２２６７１がそれである。特開２００３−２３４０では、その図６に示されているように、イカ角もイカ角間の幹糸も個々につり下げられており、放出抵抗を少なくして素早い投入を可能にするための設計がされているが、舟上は、たえず揺れており、風もあるので、イカ角の下にたれ下がった複数の幹糸は静止することはない。しかもこれらの幹糸は、イカ角の放出方向にあるので、イカ角が放出された時はイカ角と接触し絡むのを避けることは出来ない。特開平９−３２２６８１や、実開平７−２２６７１には、イカ角間の幹糸を保持するための手段が設けられており、イカ角と幹糸が接触しない構成になっているが、これら手段は嵩張り携帯性を悪くしている。又これらは、イカ角間の複数の幹糸を一つづつ別の位置に保持する手段であるので回収が面倒である。【特許文献】特開２００３−２３９４０
【特許文献】特開平９−３２２６８１
【特許文献】実開平７−２２６７１
【発明が解決しようとする課題】
【０００３】  この発明の課題は、前記仕掛を絡むことなく素早く投入することが出来、仕掛の回収、保持、投入の一連の作業を、片手に持って行えるコンパクトなイカ角投入器を提供することである。
【０００４】  上記課題を解決するため、第一発明は、ケースの中に、イカ角を収納するための複数の筒部材を、その挿入口がケースの上面に一列に並ぶように納め、ケースの幅広面に、左右方向に延びた案内板を適宜の隙間を設けて重ね、案内板の一方の端に、イカ角間の幹糸を隙間に引き込み或は放出するための導入部を形成し、案内板の他端にある固定部をケースの側面或は側面近くに固定したことを特徴とするイカ角投入器である。
【０００５】  上記課題を解決するため、第二発明は、ケースの中に、イカ角を収納するための複数の筒部材を、その挿入口がケースの上面に一列に並ぶように納め、ケースの幅広面に、略直角三角形の斜面を下方に配置した案内板を重ね、案内板の一方の端に、イカ角間の幹糸を隙間に引き込み或は放出するための導入部を形成し、案内板の他端にある固定部をケースの側面或は側面近くに固定したことを特徴とするイカ角投入器である。
【０００６】  上記課題を解決するため、第三の発明は、ケースの中に、イカ角を収納するための複数の筒部材を、その挿入口がケースの上面に一列に並ぶように納め、ケースの幅広面に、左右方向に延びた案内板を適宜の隙間を設けて重ね、案内板の一方の端に、イカ角間の幹糸を隙間に引き込み又は放出するための導入部を形成し、案内板の他端にある固定部をケースの側面或は側面近くに固定し、固定部寄りの隙間に、左右に長い幹糸の狭持手段を設けたことを特徴とするイカ角投入器である。
【０００７】  上記課題を解決するため、第四の発明は、ケースの中に、イカ角を収納するための複数の筒部材を、その挿入口がケースの上面に一列に並ぶように納め、ケースの幅広面に、左右方向に延びた案内板を適宜の隙間を設けて重ね、案内板の一方の端に、イカ角間の幹糸を隙間に引き込み又は放出するための導入部を形成し、案内板の他端にある固定部をケースの側面或は側面近くに固定し、ケースの裏の幅広面に指掛部を形成し、固定部側の側面の下端に尻手ロープの取付部を形成したことを特徴とするイカ角投入器である。
【発明の効果】
【０００８】  この発明は、上面に、筒部材の挿入口を一列に並べて筒部材を納めたケースの幅広面に左右方向に延びた案内板を適宜の隙間を設けて重ね、案内板の左右一方の端に、幹糸を引き込むための導入部を形成し、案内板の他端にある固定部をケースの側面或は側面近くに固定することにより、仕掛の回収、保持、投入のすべての操作を片手に持って行える投入器とすることが出来る、しかも投入方向を自由に選べる、仕掛の回収を移動しながら出来る、イカ角間の幹糸の保持作業が簡単、コンパクトなイカ角投入器とするすることが出来る等の効果がある。
【実施形態】
【０００９】  図１は、この発明の一実施例を示す斜視図である。符号１は、複数の細長い筒部材２を収納したケースであって、ケース１の上面に筒部材の挿入口３が一列に並んでいる。筒部材２はイカ角を収納するためのものであって、市販されているガラス製の試験管が使われている。ケース１の正面は幅広面４であって、その右端には、ケースの右側面より張り出ている張出し部５が形成されている。この張出し部は、右端の筒部材に収納されたイカ角に結ばれている幹糸がケースの裏側に廻るのを妨ぐ働きをする。ケース１の左側面の下端には尻手ロープ６を取付けるための取付部７が逆円錘形に形成されている。図２は、案内板８とそれに付随する部分の斜視図である。略直角三角形に形成された案内板８の斜辺は下方に配置されている。案内板８の右端に形成されている弱い湾曲はイカ角間の幹糸を引き入れるための導入部９である。案内板８の左端には段差１０がある。この段差１０は、幅広面４と案内板８の間に隙間を作るためのものである。段差１０の右側に形成されている長孔１１は、ケース幅広面４の表面に形成された凸部１２に相対して形成された幹糸の狭持手段であり、引き込まれた複数の幹糸の重なりを妨ぎながら狭持する働きをする。段差１０の右側にあるＵ字形に曲げられた固定部１３はケース１の左側面に接着固定される部分である。Ｕ字形に曲げられた固定部１３の先には指掛部１４が形成されており、ケース１の裏面に配置される。図１は、左手で持つように設計された左手利き用の投入器であるが、左手利用とするためには図１に対して対象形に作ればよい。
【他の実施形態】
【００１０】  前記実施形態では、市販のガラス製試験管を使用しているが、イカ角の針が刺さらない硬さと、なめらかな表面を有する部材であれば良い。又イカ角を収納するための複数の筒部材は個々の部材である必要はなく、イカ角が個々に収納出来るものであれば一体的に形成しても良い。案内板に設けられた長孔は幹糸の狭持手段であり、幅広面か案内板の一方に凸部を設けたり、植毛したりする事も出来る。前記実施例はケース１と案内板８とがプラスチック板より別々に作られ組立られたものであるが、射出成形手段により両者を一体的に作ることも出来る。
【実施例の使い方】
【００１１】  図３は、この発明の一実施例にイカ角仕掛を収納した状態を示す斜視図である。符号２０は仕掛の一端に結ばれている連結具であって、リールの道具２１に結ばれている。符号２２はイカ角の結部であり、ハリス２３が結ばれているハリスの下に結ばれている幹糸２４はイカ角間の幹糸であって２つ折の状態で案内板８の狭持手段１１、１２に挟持され、あまった幹糸２４は案内板８の下にぶら下がっている。符号２５は錘りであって、仕掛の末端に結ばれている連結具に取付けられている。この投入器の持ち方は、左手の親指をケースの前面に、他の指をケースの裏面の指掛部にかけてケースの左側を握る。仕掛を投入するには、挿入口３を投入方向に向け、右手に持っている錘りを投げれば仕掛のすべては一気に放出される。仕掛の回収は、イカ角の挿入口を上方に向け最初に引き上げたイカ角を左端の筒部材２ａにイカ角の針を下にして挿入し、左手の投入器を高く上げて仕掛を引き上げ、次のイカ角が右手に納まった時点で左手の投入器を元の位置に下げ、右手のイカ角を次の筒部材に納める。この時生じたイカ角間の２つ折になった幹糸は、案内板の右端にある導入部９から案内板の下に引き込み、狭持手段１１、１２に狭持させる。以後同じ操作を繰り返し、すべての仕掛を回収する。連続して仕掛を投入する場合は、引き上げた錘りをそのまま投入すればよい。
【図面の簡単な説明】
【図１】この発明の実施形態を示す斜視図である。
【図２】この発明の案内板及びそれに附随する部分を示す斜視図である。
【図３】この発明のイカ角仕掛の収納状態を示す斜視図である。
【符号の説明】
１    ケース    ２    筒部材    ３    挿入口    ４    幅広面    ５    張出し部    ６    尻手ロープ    ７    取付部    ８    案内板    ９    導入部    １０  段差    １１  長孔    １２  凸部    １３  固定部    １４  指掛部    １５  斜辺    ２０  連結具    ２１  道糸    ２２  結び部    ２３  ハリス    ２４  幹糸    ２５  錘り    ２ａ  筒部材
【図１】
2005143486.tif 000003
【図２】
2005143486.tif 000004
【図３】
2005143486.tif 000005